(57)【要約】【課題】  排水設備の配管施工を一人の作業者で行うことができるようにして、配管施工の省力化を図る。【解決手段】  本発明に係る排水設備の配管方法は、排水立て管１０の受け口１３に管状治具４０を挿入接続する工程と、排水立て管１０及び管状治具４０を立て、その管状治具４０を上階のコンクリートスラブＣＳの貫通孔ＣＨに挿入する工程と、管状治具４０が貫通孔ＣＨに支えられている状態で、排水立て管１０の下端部を下階の排水管継手３０の上部受け口３２ｕに挿入接続する工程と、排水管継手３０の上部受け口３２ｕに挿入接続された排水立て管１０を支持材によって規定位置に支持する工程と、支持材によって支持された排水立て管１０の受け口１３から管状治具４０を引き抜いた後、上階のコンクリートスラブＣＳの貫通孔ＣＨに排水管継手３０を通し、その排水管継手３０の下端部３１を排水立て管１０の受け口１３に挿入接続する工程とを有する。【選択図】      図１
2006016880.tif 000002
【特許請求の範囲】
【請求項１】
集合住宅の各階を仕切るコンクリートスラブの貫通孔に通されている排水管継手と、集合住宅の下階の排水管継手と上階の排水管継手とを接続する排水立て管とを有する排水設備の配管方法であって、
排水立て管の受け口に管状治具を挿入接続する工程と、
前記排水立て管及び管状治具を立て、その管状治具を上階のコンクリートスラブの貫通孔に挿入する工程と、
前記管状治具が前記貫通孔の壁面に支えられている状態で、前記排水立て管の下端部を下階の排水管継手の上部受け口に挿入接続する工程と、
前記排水管継手の上部受け口に挿入接続された前記排水立て管を支持材によって規定位置に支持する工程と、
前記支持材によって支持された前記排水立て管の受け口から管状治具を引き抜いた後、上階のコンクリートスラブの貫通孔に排水管継手を通し、その排水管継手の下端部を前記排水立て管の受け口に挿入接続する工程と、
を有することを特徴とする排水設備の配管方法。
【請求項２】
請求項１に記載された排水設備の配管方法に使用される管状治具であって、
排水立て管の受け口に前記管状治具が挿入接続されたときの管全長が、下階のコンクリートスラブの上面から上階のコンクリートスラブの下面までの距離よりも小さくなるように、その長さ寸法が設定されていることを特徴とする管状治具。
【請求項３】
請求項２に記載された管状治具であって、
軸方向における端部には、その内部を横断する棒状部材が固定されていることを特徴とする管状治具。
【請求項４】
集合住宅の各階を仕切るコンクリートスラブの貫通孔に通されている排水管継手と、集合住宅の下階の排水管継手と上階の排水管継手とを接続する排水立て管とを有する排水設備の配管方法であって、
排水立て管の下端部に管状治具を接続する工程と、
前記管状治具及び排水立て管を立て、その排水立て管の受け口を上階のコンクリートスラブの貫通孔に挿入する工程と、
前記排水立て管の受け口が前記貫通孔の壁面に支えられている状態で、前記排水立て管を支持材によって仮支持する工程と、
前記支持材によって仮支持された前記排水立て管の下端部から管状治具を外し、その排水立て管の下端部を下階の排水管継手の上部受け口に挿入接続する工程と、
前記排水管継手の上部受け口に挿入接続された前記排水立て管を支持材によって規定位置に支持する工程と、
上階のコンクリートスラブの貫通孔に排水管継手を通し、その排水管継手の下端部を前記排水立て管の受け口に挿入接続する工程と、
を有することを特徴とする排水設備の配管方法。
【請求項５】
請求項４に記載された排水設備の配管方法であって、
排水立て管の受け口がコンクリートスラブの貫通孔の壁面に支えられた状態で、排水立て管を支持材によって仮支持する際に、管状治具の下端部を下階の排水管継手の上部受け口に挿入することを特徴とする排水設備の配管方法。
【請求項６】
請求項４又は請求項５のいずれかに記載された排水設備の配管方法に使用される管状治具であって、
排水立て管の下端部を挿入可能な受け口部と、
排水管継手の上部受け口に挿入可能な短管部と、
を有することを特徴とする管状治具。
【請求項７】
請求項２、請求項３、請求項６のいずれかに記載された管状治具であって、
下端部に底板が取付けられて一体化されていることを特徴とする管状治具。
【請求項８】
請求項２、請求項６のいずれかに記載された管状治具であって、
上端部に蓋板が取付けられて一体化されており、その蓋板に把手が固定されていることを特徴とする管状治具。
【発明の詳細な説明】
【技術分野】
【０００１】
本発明は、集合住宅の各階を仕切るコンクリートスラブの貫通孔に通されている排水管継手と、集合住宅の上階の排水管継手と下階の排水管継手とを接続する排水立て管とを有する排水設備の配管方法及びその方法に使用される管状治具に関する。
【背景技術】
【０００２】
上記した排水設備の配管方法に関する技術が特許文献１に記載されている。
この配管方法では、図１１（Ａ）に示すように、先ず、Ａ階（下階）で作業者ＨＡが排水立て管９１を立てた状態で、その排水立て管９１の下端部を排水管継手９２の上部受け口に挿入接続する。次に、図１１（Ｂ）に示すように、別の作業者ＨＢが排水立て管９１を規定位置に位置決めしている状態で、作業者ＨＡがＢ階（上階）から排水管継手９２をコンクリートスラブＳの貫通孔Ｓｈに通す。Ａ階（下階）では、作業者ＨＢが、図１１（Ｃ）に示すように、排水管継手９２を受けて、その排水管継手９２の下端部を排水立て管９１の上部に連結する。
このような手順が繰り返されることにより、下階から順番に排水設備が組立てられる。
【０００３】
【特許文献１】特開２００３−５６７４４号公報
【発明の開示】
【発明が解決しようとする課題】
【０００４】
しかし、排水立て管９１を立てた状態で、その下端部を排水管継手９２の上部受け口に挿入接続する作業（図１１（Ａ）参照）では、一人作業の場合、排水立て管９１を倒す危険がある。このため、鋳鉄管等の重い排水立て管９１を使用する場合には、安全を配慮して一般的には二人作業で配管施工を行う。
また、上階の排水管継手９２を下階の排水立て管９１に接続する作業では、上階と下階とにそれぞれ作業者が必要になる。
即ち、上記した排水設備の配管方法では、二人作業が原則である。
【０００５】
本発明は、上記問題点を解決するためになされたものであり、本発明の技術的課題は、排水設備の配管施工を一人の作業者で行うことができるようにして、配管施工の省力化を図ることである。
【課題を解決するための手段】
【０００６】
上記した課題は、各請求項の発明によって解決される。
請求項１の発明は、集合住宅の各階を仕切るコンクリートスラブの貫通孔に通されている排水管継手と、集合住宅の下階の排水管継手と上階の排水管継手とを接続する排水立て管とを有する排水設備の配管方法であって、排水立て管の受け口に管状治具を挿入接続する工程と、前記排水立て管及び管状治具を立て、その管状治具を上階のコンクリートスラブの貫通孔に挿入する工程と、前記管状治具が前記貫通孔の壁面に支えられている状態で、前記排水立て管の下端部を下階の排水管継手の上部受け口に挿入接続する工程と、前記排水管継手の上部受け口に挿入接続された前記排水立て管を支持材によって規定位置に支持する工程と、前記支持材によって支持された前記排水立て管の受け口から管状治具を引き抜いた後、上階のコンクリートスラブの貫通孔に排水管継手を通し、その排水管継手の下端部を前記排水立て管の受け口に挿入接続する工程とを有することを特徴とする。
【０００７】
本発明によると、排水立て管の受け口に挿入接続された管状治具を上階のコンクリートスラブの貫通孔に通した状態で、その排水立て管の下端部を下階の排水管継手の上部受け口に挿入する。このため、作業中に、排水立て管の上部が管状治具を介してコンクリートスラブの貫通孔の壁面に支えられるようになり、排水立て管が倒れるような不具合が発生しない。したがって、一人作業で排水立て管の下端部を排水管継手の上部受け口に挿入接続できるようになる。
また、下階の排水管継手の上部受け口に挿入接続された排水立て管は支持材によって規定位置に固定されるため、上階の排水管継手の下端部を排水立て管の受け口に挿入接続する際に、別の作業者がその排水立て管の受け口を下階側で支える必要がなくなる。即ち、一人作業で、排水立て管の受け口から管状治具を引き抜き、上階のコンクリートスラブの貫通孔に排水管継手を通して、その排水管継手の下端部を排水立て管の受け口に挿入接続できるようになる。
【０００８】
請求項２に記載された管状治具は、排水立て管の受け口に前記管状治具が挿入接続されたときの管全長が、下階のコンクリートスラブの上面から上階のコンクリートスラブの下面までの距離よりも小さくなるように、その長さ寸法が設定されていることを特徴とする。
このように、排水立て管の受け口に前記管状治具が挿入接続されたときの管全長が下階のコンクリートスラブの上面から上階のコンクリートスラブの下面までの距離よりも小さくなるため、管を立てた状態で横移動（横持ち）できるようになり、管状治具を確実にコンクリートスラブの貫通孔に通せるようになる。
請求項３に記載された管状治具は、軸方向における端部に、その内部を横断する棒状部材が固定されていることを特徴とする。
このため、上階のコンクリートスラブの貫通孔内に位置する管状治具を排水立て管の受け口から引き抜く際に、管状治具の棒状部材をつかむことで、その管状治具を引き抜き易くなる。
【０００９】
請求項４の発明は、集合住宅の各階を仕切るコンクリートスラブの貫通孔に通されている排水管継手と、集合住宅の下階の排水管継手と上階の排水管継手とを接続する排水立て管とを有する排水設備の配管方法であって、排水立て管の下端部に管状治具を接続する工程と、前記管状治具及び排水立て管を立て、その排水立て管の受け口を上階のコンクリートスラブの貫通孔に挿入する工程と、前記排水立て管の受け口が前記貫通孔の壁面に支えられている状態で、前記排水立て管を支持材によって仮支持する工程と、前記支持材によって仮支持された前記排水立て管の下端部から管状治具を外し、その排水立て管の下端部を下階の排水管継手の上部受け口に挿入接続する工程と、前記排水管継手の上部受け口に挿入接続された前記排水立て管を支持材によって規定位置に支持する工程と、上階のコンクリートスラブの貫通孔に排水管継手を通し、その排水管継手の下端部を前記排水立て管の受け口に挿入接続する工程とを有することを特徴とする。
本発明によると、排水立て管の上部が直接的に上階のコンクリートスラブの貫通孔に支えられるため、作業中に排水立て管が転倒するような不具合が発生しない。また、管状治具を排水立て管の下端部に接続する方法のため、排水立て管から管状治具を外し易くなる。
【００１０】
請求項５の発明では、排水立て管の受け口がコンクリートスラブの貫通孔の壁面に支えられた状態で、排水立て管を支持材によって仮支持する際に、管状治具の下端部を下階の排水管継手の上部受け口に挿入することを特徴とする。
このため、排水立て管を安定した状態で立てることができ、排水立て管を支持材によって仮支持する作業を安全に行えるようになる。
請求項６に記載された管状治具は、排水立て管の下端部を挿入可能な受け口部と、
排水管継手の上部受け口に挿入可能な短管部とを有することを特徴とする。
また、請求項７に記載された管状治具は、下端部に底板が取付けられて一体化されていることを特徴とする。これによって、排水立て管及び排水管継手に異物が入り込むのを防止できるようになる。
また、請求項８に示すように、管状治具の上端部に蓋板を取付けて一体化し、その蓋板に把手を固定するようにしても良い。
【発明の効果】
【００１１】
本発明によると、従来は二人作業で行っていた排水設備の配管施工を一人作業で行うことができるため、排水設備の配管施工の省力化を図ることができる。
【発明を実施するための最良の形態】
【００１２】
［実施形態１］
以下、図１〜図１０に基づいて本発明の実施形態１に係る排水設備の配管方法の説明を行う。本実施形態に係る排水設備の配管方法はマンション等の集合住宅における排水設備の配管方法であり、図１にその一工程を表す側面図等が示されている。また、図２は排水設備を構成する排水立て管の縦断面図、図３〜図６は排水設備の配管方法の各工程を表す側面図である。また、図７〜図１０は排水設備の配管方法の変更例を表す側面図である。
先ず、配管方法の説明を行う前に、図１、図２等に基づいて、排水立て管１０、排水管継手３０及び管状治具４０の構造を簡単に説明する。
【００１３】
排水立て管１０は、鋳鉄管で、図２に示すように、直管部１２と、その直管部１２の一端（図２では上端）に形成された受け口１３とから構成されており、直管部１２と受け口１３との間にリング状の段差部１４が形成されている。受け口１３の内径寸法は軸方向において一定であり、直管部１２の内径寸法よりも予め決められた値だけ大きな値に設定されている。
排水立て管１０の受け口１３には、ゴム製のシール材２０が装着されている。シール材２０は、受け口１３の内壁面をほぼ全体的に覆う筒部２１と、その筒部２１の上部内周に形成されたシール本体部２３とから構成されている。シール本体部２３はリング形をした襞状に形成されており、受け口１３に接続される排水管継手３０の下部配管３１がそのシール本体部２３に通されることによって、受け口１３と排水管継手３０の下部配管３１との間がシールされる。また、シール材２０の筒部２１の下部内周には、排水管継手３０の下部配管３１の先端（下端）を受けるリング状の受け部２４が形成されている。
【００１４】
排水管継手３０は、図１等に示すように、集合住宅の各階を仕切るコンクリートスラブＣＳの貫通孔ＣＨに通される胴部３２を備えている。胴部３２の上端には、排水立て管１０の直管部１２の下端が挿入接続される上部受け口３２ｕが形成されており、その上部受け口３２ｕにゴム製のシール材（図示省略）が装着されている。また、胴部３２の下端には、上記したように、下階の排水立て管１０の受け口１３に挿入される短管状の下部配管３１が形成されている。さらに、胴部３２の上部側面には、各階の衛生器具（台所流し台、トイレ等）からの排水横枝管（図示省略）が挿入接続される複数の横受け口３４,３５が形成されている。なお、横受け口３４,３５にもゴム製のシール材（図示省略）が装着されている。
【００１５】
管状治具４０は、図１（Ａ）（Ｂ）に示すように、排水立て管１０の配管施工時に使用される管状の治具であり、その排水立て管１０の受け口１３に挿入可能なように、排水管継手３０の下部配管３１と等しい外径寸法で製作されている。また、管状治具４０の長さ寸法は、排水立て管１０の受け口１３にその管状治具４０が接続されたときの管全長ＬがコンクリートスラブＣＳの上面からコンクリートスラブＣＳの下面までの距離（Ｈ−Ｔ）よりも小さくなるように、設定されている（Ｌ＜Ｈ−Ｔ）。ここで、符号Ｈは、下階のコンクリートスラブＣＳの上面から上階のコンクリートスラブＣＳの上面までの距離であり、符号Ｔは、コンクリートスラブＣＳの厚み寸法である。
また、管状治具４０の長さ寸法は、排水立て管１０の受け口１３にその管状治具４０が接続された状態で、排水立て管１０の下端部を下階の排水管継手３０の上部受け口３２ｕに挿入する際に、管状治具４０の先端部が上階のコンクリートスラブＣＳの貫通孔ＣＨに掛る程度の長さ寸法に設定されている。さらに、管状治具４０の端部には、その管状治具４０の内部空間を横断するように握り棒４２が取り付けられている。握り棒４２は、図４に示すように、上階のコンクリートスラブＣＳの貫通孔ＣＨ内にある管状治具４０を、排水立て管１０の受け口１３から引き抜く際に使用される。
管状治具４０は鋼管で形成するのが強度的には好ましいが、樹脂管により形成することも可能である。また、握り棒４２の代わりに握り紐のようなものであっても良い。
【００１６】
次に、図１〜図６、図１２に基づいて、排水設備の配管方法の説明を行う。ここで、現段階では、図１に示すように、下階の排水管継手３０は既に設置済みとする。
先ず、図２に示すように、排水立て管１０の受け口１３に管状治具４０の下端部（握り棒４２と反対側）が挿入接続される。前述のように、排水立て管１０の受け口１３に管状治具４０が接続されたときの管全長Ｌは、床面から天井面までの距離（Ｈ−Ｔ）よりも小さくなるように設定されているため（図１参照）、管を立てた状態で横移動（横持ち）できるようになり、管状治具４０を確実にコンクリートスラブＣＳの貫通孔ＣＨに通せるようになる。
例えば、図１２に示すように、排水立て管１０と管状治具４０とを合わせた管全長Ｌが床面から天井面までの距離（Ｈ−Ｔ）以上であると、コンクリートスラブＣＳの厚み寸法Ｔ、貫通孔ＣＨの内径Ｄによっては管の端部（点ａ，点ｂ，点ｃ）がコンクリートスラブＣＳと干渉して、管を貫通孔ＣＨに通せなくなる。特に、貫通孔ＣＨの内径Ｄが小さい場合、あるいはコンクリートスラブＣＳの厚み寸法Ｔが大きい場合には、管を床面に対して直角に近い状態（θがほぼ90°）まで立てる必要がある。しかし、管全長Ｌ≧距離（Ｈ−Ｔ）であると、管を床面に対して直角に近い状態まで立てることがほとんど不可能になる。しかし、前述のように、本実施形態では管全長Ｌ＜距離（Ｈ−Ｔ）であるため、上記した問題が生じない。
次に、排水立て管１０及び管状治具４０が立てられた状態で持ち上げられ、その管状治具４０の先端が上階のコンクリートスラブＣＳの貫通孔ＣＨに挿入される。この状態で、排水立て管１０の上部は、管状治具４０を介してコンクリートスラブＣＳの貫通孔ＣＨの壁面に支えられるようになり、その排水立て管１０が転倒することはなくなる。
次に、図３に示すように、管状治具４０の先端が上階のコンクリートスラブＣＳの貫通孔ＣＨに支えられている状態で、排水立て管１０の下端部が下階の排水管継手３０の上部受け口３２ｕに挿入接続される。このとき、排水立て管１０等は転倒する恐れがないため、一人作業でその排水立て管１０の下端部を下階の排水管継手３０の上部受け口３２ｕに挿入できるようになる。
【００１７】
次に、上階のコンクリートスラブＣＳの下面（天井面）に排水管継手３０を支持するための門形の吊り支持材５０が例えばアンカーボルト等により規定位置に固定される。なお、吊り支持材５０の固定作業は配管施工の準備段階で行っても良い。
次に、排水立て管１０の受け口１３の近傍に防振ゴム５２ｄが巻かれ、その部分がＵボルト５２によって吊り支持材５０に固定される（図４（Ａ）参照）。ここで、吊り支持材５０には所定位置にＵボルト５２が通される取付け孔５４が空けられている。このため、その取付け孔５４にＵボルト５２を通すことで、排水立て管１０は床面に対してほぼ直角、かつ、コンクリートスラブＣＳの管通孔ＣＨの真下位置に位置決めされる。さらに、位置決めされた排水立て管１０の途中部分は、図４（Ｃ）に示すように、側壁ＣＫにアンカーボルト等によって取付けられた側面支持材５５に同じくＵボルト５２等によって固定される。
ここで、排水立て管１０の受け口１３の近傍を吊り支持材５０とＵボルト５２とによって支持する例を示したが、吊り支持材５０及びＵボルト５２の代わりに、図４（Ｂ）に示す支持金具５０を使用することも可能である。この支持金具５０は、排水立て管１０及び防振ゴム５２ｄを半径方向から挟む二つ割り構造の支持バンド５６と、両支持バンド５６を向かい合わせ状態で相互に連結するターンバックル５７と、両ターンバックル５７を介して支持バンド５６をコンクリートスラブＣＳの下面側に固定する吊りボルト５３とから構成されている。
【００１８】
次に、図４（Ａ）に示すように、上階のコンクリートスラブＣＳの貫通孔ＣＨ内に挿入されている管状治具４０がそのコンクリートスラブＣＳの上面側から引っ張られ、その管状治具４０が排水立て管１０の受け口１３から引き抜かれる。前述のように、管状治具４０の端部には握り棒４２が固定されているため、その握り棒４２を握ることで、管状治具４０を排水立て管１０の受け口１３から引き抜き易くなる。
次に、図５に示すように、上階のコンクリートスラブＣＳの貫通孔ＣＨに排水管継手３０の胴部３２が通され、管状治具４０が引き抜かれた排水立て管１０の受け口１３にその排水管継手３０の下部配管３１が挿入接続される（図６参照）。このとき、排水立て管１０の受け口１３は吊り支持材５０及び側面支持材５５に固定されて、コンクリートスラブＣＳにおける管通孔ＣＨの真下位置に位置決めされている。このため、作業者が下階で排水管継手３０の下部配管３１を排水立て管１０の受け口１３まで導く必要がなくなる。即ち、一人作業で上階の排水管継手３０の下部配管３１を下階の排水立て管１０の受け口１３に接続できるようになる。なお、図１〜図３、図４（Ａ）、図５には、側壁ＣＫ及び側面支持材５５は省略されている。
以後、上記した手順が繰り返し実施されることで、下階から順番に排水設備が組立てられる。
ここで、管状治具４０は、筒状に形成するのが一般的であるが、図１（Ｃ）に示すように、その管状治具４０の下端部に底板４３を一体的に設けることも可能である。このようにすることで、例えば、排水立て管１０を吊り支持材５０に固定した後、上階の排水管継手３０の下部配管３１をその排水立て管１０の受け口１３に挿入接続するまでの間に一定の時間がある場合、管状治具４０の底板４３によって排水立て管１０内に異物が入り込むのを防止できるようになる。
また、図１（Ｄ）に示すように、底板４３の代わりに蓋板４４を一体的に設け、その蓋板４４に把手４５を固定することも可能である。把手４５は、管状治具４０を引き抜く際に握る把手本体４５ｈと、ネジ軸部４５ｗとから構成されている。把手４５は、ネジ軸部４５ｗが蓋板４３の中心に設けられた貫通孔の雌ネジ４４ｈと螺合することにより、その蓋板４３に取付けられる。さらに、把手４５のネジ軸部４５ｗには、そのネジ軸部４５ｗの緩みを防止するための押えナット４４ｍが取付けられている。
【００１９】
このように、本実施形態に係る排水設備の配管方法によると、排水立て管１０の受け口１３に挿入接続された管状治具４０を上階のコンクリートスラブＣＳの貫通孔ＣＨに通した状態で、その排水立て管１０の下端部を下階の排水管継手３０の上部受け口３２ｕに挿入する。このため、作業中に、排水立て管１０の上部が管状治具４０を介してコンクリートスラブＣＳの貫通孔ＣＨの壁面に支えられるようになり、排水立て管１０が倒れるような不具合が発生しない。したがって、一人作業で安全に排水立て管１０の下端部を排水管継手３０の上部受け口３２ｕに挿入接続できるようになる。
また、下階の排水管継手３０の上部受け口３２ｕに挿入接続された排水立て管１０は吊り支持材５０及び側面支持材５５によって規定位置で支持されているため、上階の排水管継手３０の下部配管３１を排水立て管１０の受け口１３に挿入接続する際に、別の作業者がその排水立て管１０を下階側で支える必要がなくなる。即ち、一人作業で、排水立て管１０の受け口１３から管状治具４０を引き抜き、上階のコンクリートスラブＣＳの貫通孔ＣＨに排水管継手３０を通して、その排水管継手３０の下部配管３１を排水立て管１０の受け口１３に挿入接続できるようになる。
【００２０】
また、管状治具４０は、排水立て管１０の受け口１３に管状治具４０が挿入接続されたときの管全長Ｌが、下階のコンクリートスラブＣＳの上面（床面）から上階のコンクリートスラブＣＳの下面（天井面）までの距離（Ｈ−Ｔ）よりも小さくなるように、その長さ寸法が設定されている。このため、管を立てた状態で横移動（横持ち）できるようになり、管状治具４０を確実にコンクリートスラブＣＳの貫通孔ＣＨに通せるようになる。
また、管状治具４０の軸方向における端部には、その管状治具４０の内部を横断する握り棒４２（棒状部材）が固定されている。このため、上階のコンクリートスラブＣＳの貫通孔ＣＨ内に位置する管状治具４０を排水立て管１０の受け口１３から引き抜く際に、管状治具４０の握り棒４２をつかむことで、その管状治具４０を引き抜き易くなる。
【００２１】
ここで、本実施形態では、排水立て管１０の受け口１３（上部）に管状治具４０を接続する例を示したが、図７から図９に示すように、排水立て管１０の下端部に管状治具６０を接続することも可能である。この管状治具６０は、図７等に示すように、短管部６４と受け口部６２とから構成されており、その受け口部６２の径寸法が排水立て管１０の下端部を挿入可能な値に設定されている。また、管状治具６０の短管部６４の外径寸法が排水立て管１０の直管部１２の外径寸法とほぼ等しい値（排水管継手３０の上部受け口３２ｕに挿入可能な値）に設定されている。
上記管状治具６０を使用して配管施工を行う場合には、先ず、管状治具６０の受け口部６２に排水立て管１０の下端部が挿入接続される。次に、図７に示すように、管状治具６０を下にした状態で排水立て管１０が立てられ、その排水立て管１０の受け口１３が上階のコンクリートスラブＣＳの貫通孔ＣＨに挿入される。そして、排水立て管１０の受け口１３がコンクリートスラブＣＳの貫通孔ＣＨに通された状態で、図８に示すように、管状治具６０の短管部６４が下階の排水管継手３０の上部受け口３２ｕに挿入接続される。
【００２２】
次に、排水立て管１０の直管部１２がＵボルト５２によって吊り支持材５０に仮止めされる。なお、仮止め時に、排水立て管１０に防振ゴム５２ｄを巻いておくのが好ましい。この状態で、図９に示すように、排水立て管１０が持ち上げられ、管状治具６０が下階の排水管継手３０の上部受け口３２ｕから引き抜かれるとともに、その管状治具６０が排水立て管１０の下端部から外される。このとき、排水立て管１０の直管部１２がＵボルト５２によって吊り支持材５０に仮止めされているため、排水立て管１０が転倒することはない。
次に、図１０に示すように、排水立て管１０の下端部が下階の排水管継手３０の上部受け口３２ｕに挿入接続されるとともに、その排水立て管１０の受け口１３の近傍が防振ゴム５２ｄを介した状態でＵボルト５２によって吊り支持材５０に固定される。さらに、排水立て管１０の途中部分が側壁ＣＫに取付けられた側面支持材５５に同じくＵボルト５２等によって固定される（図４（Ｃ）参照）。
次に、上階のコンクリートスラブＣＳの貫通孔ＣＨに排水管継手３０の胴部３２が通され、排水立て管１０の受け口１３にその排水管継手３０の下部配管３１が挿入接続される。
このように、排水立て管１０の上部が直接的に上階のコンクリートスラブＣＳの貫通孔ＣＨに支えられるため、作業中に排水立て管１０が転倒するような不具合が発生しない。また、管状治具６０を排水立て管１０の下端部に接続する方法のため、排水立て管１０から管状治具６０を外し易くなる。
【００２３】
また、排水立て管１０を吊り支持材５０によって仮支持する際に、図８に示すように、管状治具６０の短管部６４を下階の排水管継手３０の上部受け口３２ｕに挿入するため、排水立て管１０を安定した状態で立てることができる。このため、排水立て管１０を吊り支持材５０によって仮支持する作業を安全に行えるようになる。なお、管状治具６０及び排水立て管１０を床面上に立てた状態で、その排水立て管１０を吊り支持材５０に仮止めすることも可能である。
また、途中に接続部を有しない一本物の排水立て管１０を使用する例を示したが、途中に接続部を有する排水立て管１０を使用することも可能である。
また、排水立て管１０に鋳鉄管を使用する例を示したが、鋼管を使用することも可能であるし、耐火二層管や樹脂管を使用することも可能である。
【図面の簡単な説明】
【００２４】
【図１】本発明の実施形態１に係る排水設備の配管方法の一工程を表す側面図（Ａ図）、及び管状治具の斜視図（Ｂ図）、管状治具の変更例を表す縦断面図（Ｃ図、Ｄ図）である。
【図２】排水設備を構成する排水立て管の縦断面図である。
【図３】排水設備の配管方法の一工程を表す側面図である。
【図４】排水設備の配管方法の一工程を表す側面図（Ａ図）、支持金具を表す側面図（Ｂ図）及び排水立て管の途中部分の支持構造を表す側面図（Ｃ図）である。
【図５】排水設備の配管方法の一工程を表す側面図である。
【図６】排水設備の配管方法の一工程を表す側面図である。
【図７】排水設備の配管方法の変更例を表す側面図である。
【図８】排水設備の配管方法の変更例を表す側面図である。
【図９】排水設備の配管方法の変更例を表す側面図である。
【図１０】排水設備の配管方法の変更例を表す側面図である。
【図１１】従来の排水設備の配管方法の表す側面図（Ａ図、Ｂ図、Ｃ図）である。
【図１２】排水設備の配管方法の一工程を表す側面図である。
【符号の説明】
【００２５】
ＣＳ    コンクリートスラブ
ＣＨ    貫通孔
１０    排水立て管
１２    直管部
１３    受け口
２０    シール材
３０    排水管継手
３２ｕ    上部受け口
４０    管状治具
４２    握り棒
４３    底板
４４    蓋板
５０    吊り支持材（支持金具）
５２    Ｕボルト
５５    側面支持材
６０    管状治具
６２    受け口部
６４    短管部
【図１】
2006016880.tif 000003
【図２】
2006016880.tif 000004
【図３】
2006016880.tif 000005
【図４】
2006016880.tif 000006
【図５】
2006016880.tif 000007
【図６】
2006016880.tif 000008
【図７】
2006016880.tif 000009
【図８】
2006016880.tif 000010
【図９】
2006016880.tif 000011
【図１０】
2006016880.tif 000012
【図１１】
2006016880.tif 000013
【図１２】
2006016880.tif 000014